(57)【特許請求の範囲】
【請求項１】
ヘアーエクステンションを使用者の自毛に取り付ける方法であって、
ａ）自毛を補足するためのある一定量の毛材を、該毛材がその第１の端から第２の端にかけて揃うように並列に配置するステップと、
ｂ）前記毛材の前記第１の端を、基部支持体の第１の面に植設しその反対側の第２の面に固定するステップと、
ｃ）第１の矩形状の透明な両面自己粘着テープの第１の面を、前記基部支持体の前記第２の面に取着し、前記ヘアーエクステンションを準備するステップと、
ｄ）前記使用者の頭部に分目ラインを形成し、前記分目ラインよりも上側部分の自毛と下側部分の自毛とに分けるステップと、
ｅ）前記上側部分の自毛及び前記下側部分の自毛を一時的に前記分目ラインから遠ざけるように取り分け、かつそこに固定するステップと、
ｆ）第２の矩形状の透明な両面自己粘着テープの第１の面を、前記下側部分の自毛の所定の位置に配置するステップと、
ｇ）前記上側部分の自毛を所定の幅ごとに引き出し、前記第２の矩形状の透明な両面自己粘着テープの反対側の第２の面の上に据えることにより、前記第２の矩形状の透明な両面自己粘着テープの全長にわたって前記上側部分の自毛の小分けした列を形成するステップと、
ｈ）前記第１の矩形状の透明な両面自己粘着テープの反対側の第２の面を、前記第２の矩形状の透明な両面自己粘着テープの前記第２の面の上に配置し接触させ、前記ヘアーエクステンションを固定するステップと、
ｉ）前記上側部分の自毛を元の位置に戻すステップと、
を備えることを特徴とする方法。
【請求項２】
前記基部支持体がポリウレタンのストリップであることを特徴とする請求項１に記載の方法。
【請求項３】
前記ステップｂ）において、前記基部支持体の前記第２の面にポリウレタンの被覆を施して前記毛材の前記第１の端を固定することを特徴とする請求項１又は２に記載の方法。
【請求項４】
前記ステップｆ）において、前記所定の位置が前記下側部分の自毛の上であって前記分目ラインから約１／４インチ離れたところであることを特徴とする請求項１ないし３のいずれかに記載の方法。
【請求項５】
前記ステップｇ）において、前記所定の幅が約１／４インチ幅であることを特徴とする請求項１ないし４のいずれかに記載の方法。
【請求項６】
前記ステップｈ）において、前記第１の矩形状の透明な両面自己粘着テープがその前記第２の面に剥離型基材を備えており、前記第１の矩形状の透明な両面自己粘着テープの前記第２の面を前記第２の矩形状の透明な両面自己粘着テープの前記第２の面の上に配置するに先立ち、前記剥離型基材を剥離することを特徴とする請求項１ないし５のいずれかに記載の方法。
【請求項７】
前記毛材が天然毛及び人工毛の少なくとも一つであることを特徴とする請求項１ないし６のいずれかに記載の方法。
【請求項８】
さらに、
ｊ）前記基部支持体に取着された前記第１の矩形状の透明な両面自己粘着テープをシトラスオイルで湿潤させるステップと、
ｋ）湿潤した前記第１の矩形状の透明な両面自己粘着テープを剥がして廃棄するステップと、
ｌ）布材又はペーパータオル状材料を用いて前記基部支持体から過剰なシトラスオイルを除去するステップと、
ｍ）新しい矩形状の透明な両面自己粘着テープの第１の面を前記基部支持体の前記第２の面に取着するステップとを備え、
これにより、前記ヘアーエクステンションが再使用可能となることを特徴とする請求項１ないし７のいずれかに記載の方法。
【請求項９】
使用者の自毛に取り付けるヘアーエクステンションであって、
第１の端から第２の端にかけて揃うように並列に配置されたある一定量の毛材と、
前記毛材の前記第１の端が第１の面に植設されその反対側の第２の面に固定された基部支持体と、
前記基部支持体の前記第２の面に、第１の面が取り付けられた第１の矩形状の透明な両面自己粘着テープと、
を備えることを特徴とするヘアーエクステンション。
【請求項１０】
前記基部支持体がポリウレタンのストリップであることを特徴とする請求項９に記載のヘアーエクステンション。
【請求項１１】
さらに、前記基部支持体の前記第２の面に、前記毛材の前記第１の端を固定するためのポリウレタンの被覆を施したことを特徴とする請求項９又は１０に記載のヘアーエクステンション。
【請求項１２】
さらに、前記第１の矩形状の透明な両面自己粘着テープの反対側の第２の面に剥離型基材を備えることを特徴とする請求項９ないし１１のいずれかに記載のヘアーエクステンション。
【請求項１３】
前記毛材が天然毛及び人工毛の少なくとも一つであることを特徴とする請求項９ないし１２のいずれかに記載のヘアーエクステンション。
【発明の詳細な説明】
【技術分野】
【０００１】
本発明は、より長髪またはより濃い髪の外観を与えるための自己粘着性のヘアーエクステンション及びそれを使用者の自毛へ取付ける方法に関する。より詳細には、本発明は、使用者の自毛に直接、着脱自在に取付けられ、使用者の頭皮および／または自毛にいかなるテンションもかけずに、使用者にハイライトヘアーおよび／またはより長髪および／またはより濃髪の外観を与えるようにする、天然毛または人工毛の毛材からなるヘアーエクステンションに関する。
【背景技術】
【０００２】
多くの人々の間では、自尊心および満足感、流行スタイルへの素早い変化等、様々な理由から、自身の自毛よりも長髪かつ濃髪を得ようとする要望がよく見られる。例えば、ある一定の期間流行したショートヘアが、最新の流行としてより長髪でボリュームのあるヘアスタイルに急にとって代わられる可能性もある。別の例では、額に前髪を下ろすことは冬の間の流行であるかもしれないが、夏には別のヘアスタイルが素早くとって代わる可能性がある。毛髪が伸びるのは月に約１インチ足らずの割合であるため、適当な期間、最新のヘアスタイルを得ることが非常に困難であると感じている人も多い。かなり長髪を有する者であっても、望み通りのヘアスタイルを達成するには自毛に厚みがないかまたは全体的にボリュームがない場合もある。また、自身の自毛にダメージをもたらすことなく、ハイライトを加えたいと願う者もいるかもしれない。
【０００３】
従来技術および市場において、より長髪およびより濃髪の必要性および要望を満たそうと試みる種々の装置および技法が利用可能である。一般的によく知られているのはかつらである。かつらは、より長髪を得るための手っ取り早く単純な手段を提供するが、装着されたときにそれと分かる状態となり、十分に自然な外観を呈さない。より最近では、様々なより自然な増毛法が様々な使用者の間で評判となっている。これらは、ヘアウェーブ、ヘアーエクステンション、ヘアーブレード等からなるものであり、それにより、天然毛または人工毛の毛材を様々な技法により使用者の頭皮または既存の自毛に取り付けることで、かつらを目立たせることなく、より長髪で濃髪の外観を与えるようになっている。かつらの顕著な欠点を克服するこれらの技法および機構（system：方法）もまた、得るのに比較的費用がかかるとともに時間がかかり、利用している間、使用者に違和感を与える場合も多く、また、維持するのが困難であり得るためいくつかの欠点がある。
【０００４】
従来技術では、増毛するための多数の手段、装置および方法が提供されている。これらの方法は、それらが対象とする特定の個々の目的に適し得るとしても、先に言及したような比較的精巧であるとともに時間のかかる技法および方法を伴うため、本発明の目的には適さない。これらの技法は、１９９１年１２月１７日付で発行された「増毛方法」と題する米国特許第５，０７２，７４５号、１９９９年４月２８日付で発行された「人工毛毛髪の増毛方法」と題する米国特許第５，１０７，８６７号、１９９９年２月９日付で発行された「増毛と増毛方法」と題する米国特許第５，８６８，１４５号、１９９９年３月１６日付で発行された「頭部に付着する増毛部材」と題する米国特許５，８８１，７３７号、２００２年６月１８日付で発行された「増毛器具と増毛方法」と題する米国特許第６，４０５，７３６号に例示されており、より長髪であり、より濃髪であり、かつよりボリュームのある毛髪の外観を与えるように設計されたヘアーアタッチメント装置を開示している。アタッチメントは、剥離型基材を有する矩形状の自己粘着テープ（使用者の頭皮または自毛に取り外し可能に貼り付けられる）に縫い付けられたある一定量の天然毛または人工毛の毛材からなる。ヘアーアタッチメントは貼り付けが比較的簡単であるが、自己粘着テープは、天然毛または人工毛の毛材の端部を固定するのに十分な手段とは言えず、天然毛または人工毛の毛材は自己粘着テープから早い段階で引き剥がれ、それ以降使用できなくなる。
【特許文献１】米国特許第５，０７２，７４５号明細書
【特許文献２】米国特許第５，１０７，８６７号明細書
【特許文献３】米国特許第５，８６８，１４５号明細書
【特許文献４】米国特許第５，８８１，７３７号明細書
【特許文献６】米国特許第６，４０５，７３６号明細書
【０００５】
したがって、達成するのに比較的単純で費用のかからない方法で、より長髪およびより濃髪の外観を与える、新規の改良された方法および装置の必要性が存続していることが理解されるであろう。これらの点において、本発明は、従来技術の従来の概念および構造から大きく逸脱し、そうすることによって、上記必要性を実質的に満たす装置を提供する。さらに、従来の特許および商業的技法は、本明細書に開示されるように配置かつ構成された構成部材要素の本発明の組み合わせを示唆していない。
【発明の開示】
【発明が解決しようとする課題】
【０００６】
本発明は、最小限の数の機能部品を使用して、妥当な製造コストで、かつ容易に入手可能な材料を用いて、方法ステップおよび構成部材要素の新規で有用な自明でない組み合わせにより、本発明の使用目的、対象目的および利点を達成する。
【０００７】
より詳細に以下に説明する本発明は、より長髪、より濃髪、またはハイライトヘアーの外観を与える装置および方法の分野に関する。より具体的には、本発明は、使用者の自毛に直接、着脱自在に取付けられ、使用者に、より長髪、より濃髪またはハイライトヘアーの外観を与える、天然毛または人工毛の毛材からなるヘアーエクステンションに関する。本発明は、以下に詳細に説明する新規の態様に加えて、先に挙げた欠点をすべて克服する。
【０００８】
簡潔に説明すると、典型的な一実施形態によれば、本発明は、使用者の自毛および／または頭皮にダメージをもたらす化学薬品を用いずに、より長髪であり、より濃髪でボリュームのある毛髪、および／またはハイライトヘアーの外観を与えるために、使用者の自毛に着脱自在に取り付けられるヘアーアタッチメント装置（器具）すなわちヘアーエクステンションを提供する。したがって、ヘアーエクステンションにより、使用者は、長髪を利用した流行スタイルを達成するために、または単に、これまでヘアーエクステンションおよび／またはダメージを与える化学薬品の助けなしには不可能であった特定のヘアーデザインを得ることによって外観をよくするために、化学薬品によるダメージを受けることなく毛髪の外観を変えることができる。
【０００９】
本発明の主題であるヘアーエクステンションは、並列関係で配置されるとともにポリウレタンの可撓性ストリップに第１の端が取着または固定される、ある一定量の天然毛または人工毛の毛材を備える。ポリウレタンは、毛材が両面自己粘着テープから引き剥がれないように両面自己粘着テープの第２の面に複数本の毛材をしっかりと固着する。ポリウレタンのストリップは、使用者の頭部の形状に対応するように十分に可撓性である。剥離型基材を有する両面自己粘着テープからなる止着部が、ポリウレタンのストリップに取着され、ヘアーエクステンションを使用者の自毛に固定するのに必要な粘着を与えるようになっている。ヘアーエクステンションは、使用者の自毛に、所望の外見および外観を達成するために必要に応じて様々な量および位置に施すことができる。ヘアーエクステンションはまた、単に、ヘアーエクステンションの止着部すなわち両面自己粘着テープをシトラスオイルにより湿潤させ、ポリウレタンの基部支持体すなわちポリウレタンのストリップから両面自己粘着テープを剥がして廃棄することによって再使用することができ、また、新しい両面自己粘着テープをポリウレタンの基部支持体すなわちポリウレタンのストリップに再び貼り付けることでヘアーエクステンションを再使用するようにすることができる。先に言及したように、ポリウレタンのストリップに固定された毛材は、天然毛または人工毛の毛材とすることができ、また、様々なきめの質、色および長さに利用可能である。
【００１０】
したがって、本発明は、それ自体がこれらの特徴のいずれか１つにあるのではなく、本明細書中に開示されている特徴すべての特定の組み合わせにある。本発明は、以下に明記する機能、すなわち、敏感な頭皮を有する使用者に使用されることができ、フェイスリフトを行ったばかりで手術により後退した毛髪の生え際を隠したいと願う人のために、ダメージを与える溶液を使用せずにハイライトヘアーを得たいと願う人のために、年齢または他の要因により頭頂部の毛髪が薄くなった人のために、年齢および／または他の要因により後退した生え際のこめかみを単に隠すことで行われる一時的なアイブロウリフトを願う人のために、または単により長髪および／またはより濃髪を望む人のために使用されることができる、という機能についてのこの構造すべての特定の組み合わせにおいて、従来技術とは区別される。
【００１１】
以下に続く本発明の詳細な説明がよりよく理解されることにより、当該技術分野への本発明の貢献がより十分に分かることができるよう、上記に本発明のより適切な重要な特徴を幾分広く概説してきた。本発明のさらなる特徴は以下に説明する。概念および開示された具体的な方法および構造は、本発明の同じ目的を行うための他の構造の変形または設計の基盤をなすものとして容易に利用され得ることが、当業者には理解されるべきである。かかる等価の方法および構造は本発明の精神および範囲から逸脱しないことが当業者には理解されるべきである。
【００１２】
この点において、本発明の少なくとも１つの実施形態を詳細に説明する前に、本発明の用途は、構造の詳細および明細書の以下の部分に記載されたまたは図面に示された構成部材の構成に限定されないことを理解されたい。本発明は、他の実施形態および実施が可能であり、種々の方法で行われることができる。また、明細書で用いられる表現および術語は、説明のためのものであって、限定として見なされるべきではないことを理解されたい。
【００１３】
したがって、当業者は、本開示が基づく概念が、本発明のいくつかの目的を実行するための他の構造、方法およびシステムを設計するための基盤として容易に利用され得ることを理解するであろう。
【００１４】
さらに、上記要約の目的は、米国特許商標庁、および一般公衆、特に、特許または法律用語または法律表現に精通していない、当該技術分野における科学者、技術者および当業者が、本発明の技術開示の特性および本質を一瞥ですぐさま判断することができるようにすることである。この要約は、本願の本発明を定義することを意図しておらず、また、本発明の範囲に関して限定することを全く意図していない。
【００１５】
本発明の別の非常に重要な目的は、かつら、ヘアーウィービングおよびヘアーブレード等の従来の増毛および補毛装置および技法の欠点、ならびに着脱式ヘアーエクステンションおよびアタッチメントの欠点、および／または、使用者の頭皮および／または自毛への化学薬品および／または溶液の欠点を克服することによって、より長髪、より濃髪および／またはハイライトヘアーの外観を与える継ぎ目のない自己粘着性のヘアーエクステンションを提供することである。したがって、本発明の目的は、使用者の頭皮または自毛にテンションをかけずに、再使用可能な継ぎ目のない自己粘着性のヘアーエクステンションの容易な使用および快適な装着方法を提供することである。
【課題を解決するための手段】
【００１６】
本発明の課題は、ヘアーエクステンションを使用者の自毛に取り付ける方法であって、
ａ）自毛を補足するためのある一定量の毛材を、該毛材がその第１の端から第２の端にかけて揃うように並列に配置するステップと、
ｂ）前記毛材の前記第１の端を、基部支持体の第１の面に植設しその反対側の第２の面に固定するステップと、
ｃ）第１の矩形状の透明な両面自己粘着テープの第１の面を、前記基部支持体の前記第２の面に取着し、前記ヘアーエクステンションを準備するステップと、
ｄ）前記使用者の頭部に分目ラインを形成し、前記分目ラインよりも上側部分の自毛と下側部分の自毛とに分けるステップと、
ｅ）前記上側部分の自毛及び前記下側部分の自毛を一時的に前記分目ラインから遠ざけるように取り分け、かつそこに固定するステップと、
ｆ）第２の矩形状の透明な両面自己粘着テープの第１の面を、前記下側部分の自毛の所定の位置に配置するステップと、
ｇ）前記上側部分の自毛を所定の幅ごとに引き出し、前記第２の矩形状の透明な両面自己粘着テープの反対側の第２の面の上に据えることにより、前記第２の矩形状の透明な両面自己粘着テープの全長にわたって前記上側部分の自毛の小分けした列を形成するステップと、
ｈ）前記第１の矩形状の透明な両面自己粘着テープの反対側の第２の面を、前記第２の矩形状の透明な両面自己粘着テープの前記第２の面の上に配置し接触させ、前記ヘアーエクステンションを固定するステップと、
ｉ）前記上側部分の自毛を元の位置に戻すステップと、
を備えることを特徴とする方法の構成によって達成できる。
【００１７】
本発明の前記課題は、使用者の自毛に取り付けるヘアーエクステンションであって、
第１の端から第２の端にかけて揃うように並列に配置されたある一定量の毛材と、
前記毛材の前記第１の端が第１の面に植設されその反対側の第２の面に固定された基部支持体と、
前記基部支持体の前記第２の面に、第１の面が取り付けられた第１の矩形状の透明な両面自己粘着テープと、
を備えることを特徴とするヘアーエクステンションの構成によって達成できる。
【００１８】
また本発明は、透明な両面自己粘着テープのストリップの第１の面に取り付けられた、並列配置されたある一定量の天然毛または人工毛の毛材が植設されたポリウレタンのストリップを備え、このヘアーエクステンションは、使用者自身の分目ラインの上側部分の自毛を１／４インチ幅で交互に並列して据えた第２の透明な両面自己粘着テープの上に配置することによって使用者の自毛に固定される。
【００１９】
最後になるが、本発明の非常に重要な態様は、毛材が、非常に薄いが耐久性のあるポリウレタンの層および／またはストリップを通して植設され、両面自己粘着テープで取着されるようになっているため、見た目や感触では実際にそれと気づかれず、そのため、所望であれば、使用者の頭頂部および／またはこめかみに施すことが容易である。
【００２０】
本発明、本発明の使用により得られる動作利点および具体的な目的をよりよく理解するため、添付の図面、および本発明の好適な実施形態としてそれら図面を説明している説明事項の参照を行うものとする。
【００２１】
上記により、本発明のより適切な目的のいくつかを概説してきた。これらの目的は、本発明のより顕著な特徴および用途のいくつかを例示しているにすぎないと解釈すべきである。したがって、本発明の他の目的およびより完全な理解は、本発明の範囲の他に、本発明の概要、および添付図面により示された好適な実施形態の詳細な説明を参照することにより得られるであろう。
【００２２】
本発明の上記および他の目的、特徴および利点は、種々の図中、同様の参照符号が同一の部品を示すモノクロの添付図面において示された本発明の好適な実施の形態の以下の説明からより完全に理解されるであろう。
【発明の効果】
【００２３】
本発明は、複数本の毛材から構成される。毛材は、様々な使用者および流行スタイルの所望および要望に対応するように、種々の長さ、直径、テクスチャ、および色の天然毛または人工毛の毛材からなる。ある一定量の毛材は、第１の端および第２の端と揃えられる。
【発明を実施するための最良の形態】
【００２４】
本発明のヘアーエクステンションの取付方法およびヘアーエクステンションについて図面を参照して以下に説明する。
図１は、本発明の実施形態のヘアーエクステンションの前面全体図の実写図である。
図２は、図１のヘアーエクステンションの拡大前面図である。
図３は、図１の両面自己粘着テープすなわち止着部を有するヘアーエクステンションの実写図であり、両面自己粘着テープすなわち止着部は、ポリウレタンのストリップに取着され、別のポリウレタン被覆が施されることで、基部支持体がシールされる。剥離型基材は、両面自己粘着テープすなわち止着部から剥がされ、その構造が露呈される。
図４は、本発明の実施形態の両面自己粘着テープの止着部に剥離型基材が貼付されているヘアーエクステンションの裏面すなわち取着可能な面の実写図である。
図５は、本発明のステップｅ）と呼ばれる取付けプロセスおよび方法の実写図である。
図６は、本発明のステップｇ）と呼ばれる、取付けプロセスおよび方法の実写図である。
図７は、本発明のステップｈ）と呼ばれる、取付けプロセスおよび方法の実写図である。
【００２５】
図１を参照すると、ヘアーエクステンション１０の実写図が見られる。図２を参照すると、ポリウレタンのストリップ１６を通して植設された毛材２６の第１の端を含めた、ポリウレタンのストリップ１６の拡大前面図が示されている。
【００２６】
図３には、ポリウレタンの基部支持体（すなわち前述ではポリウレタンのストリップ１６と呼んでいた）の構成部材および構造が見えるように拡大背面図が示されており、毛材１２は、各毛材１２を結ぶことでポリウレタンのストリップ１６に植設され、別のポリウレタンの被覆によって、毛材１２の取着端１８がポリウレタンのストリップ１６にシールされる。該ポリウレタンのストリップ１６は、様々な頭皮および頭皮表面の形状および外郭に合う可撓性および耐久性材料からなっており、頭皮および頭皮表面に快適かつ違和感なくフィットするようになっている。両面自己粘着テープの止着部１４は矩形であり、好ましくは狭小で細長く、ヘアーアタッチメントポリウレタンのストリップ１６の外辺に対応するようになっている。止着部１４は、両面自己粘着テープ２２および剥離型基材２４からなる。両面自己粘着テープ２２は、使用中に上記テープ部２２が分離または移動しないようにポリウレタンのストリップ１６に固定される。
【００２７】
図４には、ヘアーエクステンションの裏面すなわち着脱可能な面が、剥離型基材２４が貼付されたままの状態で示されている。
【００２８】
図５には、本明細書中においてステップｅ）と呼ぶ取着プロセスおよび方法が示されており、ベルクロストリップ３６を用いて、使用者２８の上側部分の自毛３２および下側部分の自毛３４を固定して分けることで、分目ライン３０が得られる。
【００２９】
図６には、本発明の自己粘着性のヘアーエクステンションの取付方法においてステップｇ）と呼ぶ取着プロセスおよび方法が示されており、上側部分の自毛３２および下側部分の自毛３４がベルクロ３６により上方位置に固定された状態になっており、使用者の自毛３８の下側部分の自毛３４の、使用者の分目ライン３０から約１／４インチ離れたところに透明な両面自己粘着テープ２２が配置され、鉤針４０を用いて、使用者の自毛３８が上側部分の自毛３２から約１／４インチ幅に交互に引き出され、両面自己粘着テープ２２にそれら自毛を好ましくは両面自己粘着テープ２２の全長にわたって配置する。
【００３０】
図７には、本発明のヘアーエクステンションの取付中においてステップｈ）と呼ぶ取着プロセスおよび方法が示されており、使用者の自毛３８が、図７のステップ２にて先に説明かつ図示したように、好ましくは両面自己粘着テープ２２の全長にわたって１／４インチ幅に交互に両面自己粘着テープ２２にいったん配置されると、剥離型基材２４を剥がすことができ、ヘアーエクステンション１０を使用者２８の両面自己粘着テープ２２に接着することができる。必要であれば、ヘアーエクステンション１０は、既存のまたは目的のヘアスタイルあるいは使用者の望みに見合うように垂直方向または水平方向にカットあるいはトリミングすることができる。ヘアーエクステンション１０が両面テープ２２に固定され揃えられると、上側部分の自毛３２が、ベルクロストリップ３６を外すことによって垂下し、同様にベルクロストリップ３６を外すことによって下側部分の自毛３４を開放することができる。上側部分の自毛が元の位置にくると、自己粘着テープ２２が隠されるとともに、ポリウレタンのストリップ１６により、継ぎ目のない、より長髪、より濃い髪、および／またはハイライトヘアーの本物のような自然な外観が得られる。当然のことながら、ヘアーエクステンション１０は、使用者２８の頭部に、様々なヘアスタイルおよび髪量で、かつ使用者およびヘアドレッサーの創意によってしか限定されることのない様々な場所および位置に取り付けることができる。先に説明した取着の例が本発明のヘアーエクステンションの精神および範囲を限定することは決してなく、また、ヘアーエクステンション１０を使用者の自毛または頭皮に取り付けることの考えられる全ての変形も本発明の範囲内にあることを理解されたい。
【００３１】
本発明のヘアーエクステンションおよび取付方法を図面および上記説明において詳細に図示および説明してきたが、本発明のヘアーエクステンションおよび取付方法の特徴は例示であって限定ではないものと見なされるべきであり、好適な実施形態を示し説明しているにすぎず、本発明の精神の範囲内にある変更および変形のすべてが保護されるよう望まれることを理解されたい。したがって、上記説明に関して、サイズ、材料、形状、形態、動作機能および動作様式、組み立て、および使用を含めた、本発明の部品に最適な寸法上の関係は、当業者には容易に明白かつ自明であると見なされ、図面に示されるとともに実施形態の中で説明されたものに対するすべての等価関係は、本発明が包含するものと意図される。
【産業上の利用可能性】
【００３２】
上記から、改良された継ぎ目のない自己粘着性のヘアーエクステンション及びその取付け方法が提供されることを当業者は理解するであろう。本発明は、製造が比較的単純かつ容易であり、様々な用途に用いることができる。本発明のヘアーエクステンションには、多数の実施形態が援用されているが、これらの実施形態は、本発明の範囲を限定するものと解釈されるべきではなく、むしろ、本発明の好適な実施形態の例示と見なされるべきである。上記は、本発明の原理の例示にすぎないものと見なされる。さらに、多くの変形および変更が当業者には容易に想起されるであろうため、示し説明したものとまさに同じ構成および動作に本発明を限定することは望まれず、したがって、本発明の範囲内にある、すべての適した変形および等価物が用いられ得る。本発明を好適な形態においてある程度独自的に説明してきたが、好適な形態の本開示は例によってなされているにすぎず、部品の構成および組み合わせならびに配置の詳細ないくつかの変更が、本発明の精神および範囲から逸脱することなく用いられる得ることが理解される。
【図面の簡単な説明】
【００３３】
【図１】本発明の実施形態のヘアーエクステンションの前面全体図の実写図である。
【図２】図１のヘアーエクステンションの拡大前面図である。
【図３】図１の両面自己粘着テープすなわち止着部を有するヘアーエクステンションの実写図であり、両面自己粘着テープすなわち止着部は、ポリウレタンのストリップに取着され、別のポリウレタン被覆が施されることで、基部支持体がシールされる。剥離型基材は、両面自己粘着テープすなわち止着部から剥がされ、その構造が露呈される。
【図４】本発明の実施形態の両面自己粘着テープの止着部に剥離型基材が貼付されているヘアーエクステンションの裏面すなわち取着可能な面の実写図である。
【図５】本発明のステップｅ）と呼ばれる、取付けプロセスおよび方法の実写図である。
【図６】本発明のステップｇ）と呼ばれる、取付けプロセスおよび方法の実写図である。
【図７】本発明のステップｈ）と呼ばれる、取付けプロセスおよび方法の実写図である。
【符号の説明】
【００３４】
１０ ヘアーエクステンション
１２ 毛材
１４ 第１の両面自己粘着テープ
１６ 基部支持体（ポリウレタンのストリップ）
１８ 毛材の第１の端
２０ 毛材の第２の端
２２ 第２の両面自己粘着テープ
２４ 剥離型基材
２６ 基部支持体に植設された毛材
２８ 使用者
３０ 分目ライン
３２ 上側部分の自毛
３４ 下側部分の自毛
３６ ベルクロストリップ
３８ 自毛
４０ 鉤針
【図１】
0004761521.tif 000002
【図２】
0004761521.tif 000003
【図３】
0004761521.tif 000004
【図４】
0004761521.tif 000005
【図５】
0004761521.tif 000006
【図６】
0004761521.tif 000007
【図７】
0004761521.tif 000008